(57)【要約】【課題】羽部の揺動で発生する風に水分を含有させることで、体感温度を下げて涼しさを感じさせることができる、霧吹き機能を具えたうちわを提供すること。【解決手段】本考案の霧吹き機能を具えたうちわは、主に羽部、連接座体、霧吹き装置から構成され、手で霧吹き装置のボトルを握って羽部を制御して風を発生させ、同時に霧吹き装置のプッシュ部を押してボトル内の液体をプッシュ部から噴出させて、羽部が発生する風に伴って人体に接触させる。【選択図】図３
0003166571.tif 000002
【実用新案登録請求の範囲】
【請求項１】
霧吹き機能を具えたうちわであって、
羽部と、
羽部の一側の辺縁に設置された連接座体と、
プッシュ部とボトルから構成され、前記連接座体上に設置された霧吹き装置と、
を含み、主に手で霧吹き装置のボトルを握り、羽部の揺動を制御し、かつ同時に前記プッシュ部を押して前記ボトル内に入れた液体を噴出させ、噴出された前記液体を前記羽部の揺動で発生する風に伴って人体に接触させることを特徴とする、霧吹き機能を具えたうちわ。
【請求項２】
請求項１に記載の霧吹き機能を具えたうちわであって、前記羽部が前記連接座体の設置に対応する位置に通孔を具えたことを特徴とする、霧吹き機能を具えたうちわ。
【請求項３】
請求項１に記載の霧吹き機能を具えたうちわであって、前記連接座体の一側に穿通孔を設けたことを特徴とする、霧吹き機能を具えたうちわ。
【請求項４】
請求項１に記載の霧吹き機能を具えたうちわであって、前記霧吹き装置のボトルを前記プッシュ部から取り外し、その中に液体を入れることができることを特徴とする、霧吹き機能を具えたうちわ。
【請求項５】
請求項１に記載の霧吹き機能を具えたうちわであって、前記羽部一端の辺縁にさらにノズルを設置し、かつ導管で前記ノズルと前記霧吹き装置を連結したことを特徴とする、霧吹き機能を具えたうちわ。
【考案の詳細な説明】
【技術分野】
【０００１】
本考案は霧吹き機能を具えたうちわに関し、特に、プッシュ方式で霧吹き効果を達成できるうちわに関する。
【背景技術】
【０００２】
図１に示すように、従来のうちわ１は構造が簡単で、製作コストが低く、便利に使用できるため、最も一般的な涼をとるツールの一つである。従来のうちわ１は主に柄１１の一端に羽部１２が設置され、柄１１を手に持って羽部１２を揺動させ、羽部１２を高速で揺動させることにより風を発生させ、体感温度を下げて涼しく感じられるようにするが、うちわ１の発生する風の温度はそのときの環境の室温によるため、蒸し暑い気候や夏の猛暑においては、うちわ１の発生する風は高温の熱風となり、使用者にとって高温の熱風が人体に接触すると、体感温度を効果的に下げて涼しさを感じさせる目的を達することができないだけでなく、人体に不快感を生じることもある。
【０００３】
本考案は上述の問題に鑑みてなされたもので、上述の問題をいかに解決するかがこの分野の技術者が解決に取り組む課題である。
【考案の概要】
【考案が解決しようとする課題】
【０００４】
本考案の考案者は上述の先行技術に存在する不足点に鑑み、プッシュ方式で霧吹き効果を達するうちわを提供するものであり、主に次のような目的がある。
【０００５】
本考案の第一の目的は、主にうちわの羽部の一側に連接座体を介して霧吹き装置を設置し、手で霧吹き装置のボトルを握って羽部の揺動を制御すると同時に、出水装置を押して出水させ、羽部の揺動で発生する風に水分を含有させることで、体感温度を下げて涼しさを感じさせることができる、霧吹き機能を具えたうちわを提供することにある。
【０００６】
本考案の第二の目的は、さらに羽部の一辺縁の端部にノズルを設置し、かつ導管により前記ノズルと霧吹き装置を連結することにより、出水装置を押したときノズルから出水の動作を行い、体感温度を下げて涼しさを感じさせることができる、霧吹き機能を具えたうちわを提供することにある。
【課題を解決するための手段】
【０００７】
本願の第１考案は、霧吹き機能を具えたうちわであって、羽部と、羽部の一側の辺縁に設置された連接座体と、プッシュ部とボトルから構成され、前記連接座体上に設置された霧吹き装置を含み、主に手で霧吹き装置のボトルを握り、羽部の揺動を制御し、かつ同時に前記プッシュ部を押して前記ボトル内に入れた液体を噴出させ、噴出された前記液体を前記羽部の揺動で発生する風に伴って人体に接触させることを特徴とする、霧吹き機能を具えたうちわを提供する。
本願の第２考案は、前記羽部が前記連接座体の設置に対応する位置に通孔を具えたことを特徴とする、前記第１考案の霧吹き機能を具えたうちわを提供する。
本願の第３考案は、前記連接座体の一側に穿通孔を設けたことを特徴とする、前記第１考案の霧吹き機能を具えたうちわを提供する。
本願の第４考案は、前記霧吹き装置のボトルを前記プッシュ部から取り外し、その中に液体を入れることができることを特徴とする、前記第１考案の霧吹き機能を具えたうちわを提供する。
本願の第５考案は、前記羽部一端の辺縁にさらにノズルを設置し、かつ導管で前記ノズルと前記霧吹き装置を連結したことを特徴とする、前記第１考案の霧吹き機能を具えたうちわを提供する。
【図面の簡単な説明】
【０００８】
【図１】従来品のうちわの立体外観図である。
【図２】本考案に係るうちわの立体外観図である。
【図３】本考案に係るうちわの立体分解図である。
【図４】本考案に係るうちわの最良の実施例の立体図１である。
【図５】本考案に係るうちわの最良の実施例の立体図２である。
【図６】本考案に係るうちわの最良の実施例の立体図３である。
【図７】本考案に係るうちわの別の最良の実施例の立体図である。
【考案を実施するための形態】
【０００９】
上述の各目的及びその効果を達するため、以下図面を組み合わせて最良の実施例を挙げ、当業者が各目的を実施できるように説明する。
【００１０】
まず、図２、図３、図４、図５、図６、図７に本考案の立体外観図、立体分解図、最良の実施例の立体図、別の最良の実施例の立体図をそれぞれ示す。これらの図からはっきりと分かるように、うちわ２は、羽部３、連接座体４、霧吹き装置５を含む。
【００１１】
前記羽部３には通孔３１が設けられる。
【００１２】
前記連接座体４は前記羽部３の一側の辺縁に設置され、その一側に穿通孔４１が設けられる。
【００１３】
前記霧吹き装置５は、プッシュ部５１とボトル５２から構成され、前記連接座体４上に設置される。
【００１４】
主に使用者が手で霧吹き装置５のボトル５２を握り、ボトル５２を揺らして羽部３を同時に揺動させ、かつ羽部３の揺動と同時に霧吹き装置５のプッシュ部５１を押して、ボトル５２に入れた液体をプッシュ部５１から噴出させ、噴出された液体を羽部３の揺動に伴って発生する風により人体に接触させることで、体感温度を下げて涼しさを感じさせる効果を達する。
【００１５】
そのうち、連接座体４を羽部３上に設置するとき、連接座体４の穿通孔４１と羽部３の通孔３１を相対させ、霧吹き装置５のプッシュ部５１が穿通孔４１と通孔３１に相対する位置に配置されるため、霧吹き装置５のプッシュ部５１を押して液体を噴出させるとき、液体は穿通孔４１と通孔３１を通過した後、羽部３の揺動によって発生する風に伴い人体に吹き付けられる。このほか、霧吹き装置５のプッシュ部５１とボトル５２は取り外し可能な設計であり、このためボトル５２内の液体が不足したり、尽きたときは、ボトル５２をプッシュ部５１から直接取り外し、液体をボトル５２内に充填した後、ボトル５２をプッシュ部５１に取り付けて使用を継続することができる。
【００１６】
本考案のうちわ２は、上述のように霧吹き装置５のプッシュ部５１から直接噴出させるほか、図７に示すように、羽部３の一側の辺縁上にノズル６を設け、導管６１で前記ノズル６と霧吹き装置５を相互に連結し、使用時は手で霧吹き装置５のボトル５２を握って羽部３を揺動させ、同時に霧吹き装置５のプッシュ部５１を押してボトル５２に入れた液体を導管６１によってノズル６に送り、最後にノズル６から噴出させて、羽部３の発生する風に伴い人体に接触させ、体感温度を下げる目的を達することができる。ノズル６の設置は羽部３の辺縁部分に限られず、羽部３の中央部分やその他任意のノズル６を設置できる位置に設置することができ、噴出される液体が羽部３の発生する風に伴って吹き付けられればよい。
【００１７】
従来使用されているうちわにおいて、その発生する風の温度がそのときの環境温度によって決まる状況に比べ、本考案のうちわ２は霧吹き装置５の噴出する液体を羽部３の揺動で発生する風に伴って吹き付けることで、液体が温度を吸収して風の温度を下げるほか、人体に液体が付着した後人体の体温を下げることもできるため、本考案のうちわ２は体感温度を下げ、涼しさを感じさせる効果を発揮することができる。
【００１８】
上述をまとめると、以上は本考案の最良の実施例であり、本考案の請求範囲を限定するものではなく、本考案の請求の範囲は後付の実用新案登録請求の範囲の定義に準ずる。
【符号の説明】
【００１９】
１        うちわ
１１      柄
１２      羽部
２        うちわ
３        羽部
３１      通孔
４        連接座体
４１      穿通孔
５        霧吹き装置
５１      プッシュ部
５２      ボトル
６        ノズル
６１      導管
【図１】
0003166571.tif 000003
【図２】
0003166571.tif 000004
【図３】
0003166571.tif 000005
【図４】
0003166571.tif 000006
【図５】
0003166571.tif 000007
【図６】
0003166571.tif 000008
【図７】
0003166571.tif 000009